(57)【要約】【課題】携帯や接続がし易く、かつ取付位置および被撮像人物の所在位置に応じて、ビデオ撮像の視角を調整でき、被撮像人物を画像撮り入れ範囲に入れることができる撮像装置を提供する。【解決手段】本考案に係る撮像装置は、側端に第１の接続部１１が設けられた第１の本体１と、一端が第１の本体１に枢着した枢着部材２と、枢着部材２の他端に枢着し、第１の本体１に電気的に接続された第２の本体３と、第２の本体３に電気的に結合された撮像ユニット４とを含む。前記構造において、第１の本体１の第１の接続部１１を所定の電子装置に電気的に差込むことにより、第１の本体１を固定させ、且つ、枢着部材２を介して、第２の本体３を第１の本体１に対して回転させ、撮像ユニット４の視角を調整する。【選択図】図１
0003131790.tif 000002
【実用新案登録請求の範囲】
【請求項１】
側端に第１の接続部が設けられた第１の本体と、
一端が前記第１の本体に枢着した枢着部材と、
前記枢着部材の他端に枢着し、前記第１の本体に電気的に接続された第２の本体と、
前記第２の本体に電気的に結合された撮像ユニットとを、含む撮像装置。
【請求項２】
前記第１の接続部が、USB対応の電気コネクタであることを特徴とする請求項１に記載の撮像装置。
【請求項３】
前記第１の接続部が、IEEE1394対応の電気コネクタであることを特徴とする請求項１に記載の撮像装置。
【請求項４】
前記枢着部材が、ユニバーサルジョイントであることを特徴とする請求項１に記載の撮像装置。
【請求項５】
前記撮像ユニットが前記第２の本体内に設置され、該第２の本体の片側の表面にカメラレンズが露出されたことを特徴とする請求項１に記載の撮像装置。
【請求項６】
前記第２の本体の少なくとも一側に、少なくとも一つの第２の接続部が設けられ、前記撮像ユニットの片側の表面には、前記第２の接続部に対応して互いに差込むことができる第３の接続部が設けられたことを特徴とする請求項１に記載の撮像装置。
【請求項７】
前記第２の接続部及び第３の接続部が、USB対応に符合することを特徴とする請求項６に記載の撮像装置。
【請求項８】
前記第２の接続部及び第３の接続部が、IEEE1394対応に符合することを特徴とする請求項６に記載の撮像装置。
【請求項９】
前記第２の接続部として前記第２の本体に電気コネクタを凸設し、前記第３の接続部として前記撮像ユニットに挿入槽を凹設したことを特徴とする請求項６に記載の撮像装置。
【請求項１０】
前記第２の接続部として前記第２の本体に挿入槽を凹設し、前記第３の接続部として前記撮像ユニットに電気コネクタを凸設したことを特徴とする請求項６に記載の撮像装置。
【請求項１１】
前記第１の接続部が、所定の電子装置の対応する仕様の挿入槽に電気的に差込まれることを特徴とする請求項１に記載の撮像装置。
【請求項１２】
前記電子装置は、卓上型パソコン、ノートパソコン、ゲーム機、PDA装置または携帯電話であることを特徴とする請求項１１に記載の撮像装置。
【請求項１３】
前記第１の接続部は、接続装置の所定位置に予め設置された挿入槽に電気的に差込まれ、前記接続装置を介して信号を出力し少なくとも一つの電子装置に受信させることを特徴とする請求項１に記載の撮像装置。
【請求項１４】
前記接続装置は、ディスプレイ、マウス、マウス充電器、携帯電話充電器、収容台座または固定チャックであることを特徴とする請求項１３に記載の撮像装置。
【請求項１５】
前記接続装置は、有線または無線方式で信号を前記電子装置に伝送することを特徴とする請求項１３に記載の撮像装置。
【請求項１６】
さらに、前記第１の本体または第２の本体内に設置された記録ユニットを備えたことを特徴とする請求項１に記載の撮像装置。
【請求項１７】
さらに、前記第１の本体または第２の本体内に設置された無線信号ユニットを備えたことを特徴とする請求項１に記載の撮像装置。
【考案の詳細な説明】
【技術分野】
【０００１】
本考案は、撮像装置に係わり、特に、携帯し易く、電子装置にある所定の挿入槽と接続でき、且つ、電子装置が提供する撮像装置取付位置および被撮像人物の所在位置に応じて、ビデオ撮像の視角を調整し、被撮像人物を画像撮り入れ範囲に入れる撮像装置に関するものである。
【背景技術】
【０００２】
科学技術の進歩及び日進月歩に伴い、インターネット通信は、既に新世代の人々にとって不可欠になっており、電子装置（例えば、ノートパソコン、卓上型パソコン、ゲーム機、PDA装置または携帯電話）の使用も、文書処理や単純な文字の電子メールの送受信、音声通話およびPCゲームの機能のみに限られず、撮像装置の撮像および電子装置関連ソフトの搭載により、グローバルな地域とのネット通信やオンラインチャットやオンラインミーティングやオンラインゲーム対戦などを直接行うことができるようになった。このように、撮像装置はクリアーで便利なメディアを提供できるだけでなく、たくさんの産業利用価値も生み出し、個人または会社に広く愛用されるため、撮像通信の不可欠な器材になっている。
【０００３】
しかしながら、インターネットによるオンライン通信は、先ず、撮像装置で撮像し、さらに、取り込んだ画像を電子装置関連ソフトで処理し、画像をワイヤレスLANやbluetooth通信などの方式で伝送しなければならないので、撮像装置は、先ず、電子装置に接続され、電子装置を介して画像出力を行わなければならない。現在市場で開発されている撮像装置は、主に支持部材を有し、該支持部材上にボール型ビデオカメラが設けられ、該ボール型ビデオカメラの側端に伝送ケーブルが延設され、該伝送ケーブルの末端にUSBコネクタが設けられ、該USBコネクタを介して電子装置における対応する挿入槽に接続され、これによりボール型ビデオカメラで撮った画像が該電子装置を介して表示でき、さらに伝送される。
【０００４】
しかし、前記従来の構造は、実際に実施する時、以下のような欠点がある。
１、一般の電子装置、例えばノートパソコンは、その配置した挿入槽の位置が、普通、ホストの側縁に位置しているため、従来の撮像装置が好適な撮像角度を取るためには、通常支持部材を表示パネルに係着し、伝送ケーブルの末端に設けられたUSBコネクタを挿入槽に接続していた。しかしながら、従来の撮像装置は制限された視角が問題であり、挿入槽に直接接続できず、先に良好なビデオ撮像位置に固定し、さらに延設された伝送ケーブルを介して差込まなければならないため、取り付けが面倒で、かつ細長い伝送ケーブルがノートパソコンの使用に際して邪魔で、ケーブルが絡まる問題が発生することもあり、使用者の迷惑になっていた。
２、従来の撮像装置は、支持部材および伝送ケーブルを配備しなければならないため、体積が大きく、携帯し難く、特に、伝送ケーブルが絡まり易く、断線の恐れもあるため、携帯には不便であった。撮像装置の最も大きな特色は、様々な互換仕様の電子装置に合せて、リアルタイムにメディア機能を供給できることであるが、、撮像装置を容易に携帯することが出来なければ、ホットプラグができず、その訴求すべき便利な機能及び市場価値が大きく低下されることになってしまう。
３、従来の撮像装置は、その画像撮りの高さ及び角度の調整が、支持部材の配置位置を移動しなければ達成できず、非常に不便であった。
【０００５】
そのため、本考案者は、前記従来の撮像装置が実際に使用する際の問題点を鑑み、長年以来この領域で積み立てた経験により、専念な観察かつ研究をし、やっと合理な設計且つ前記の問題点を有効に改良できた撮像装置を提案した。
【考案の開示】
【考案が解決しようとする課題】
【０００６】
本考案の主な目的は、携帯や接続がし易く、かつ取付位置および被撮像人物の所在位置に応じて、ビデオ撮像の視角を調整でき、被撮像人物を画像撮り入れ範囲に入れることができる撮像装置を提供することにある。
【課題を解決するための手段】
【０００７】
前記目的を達成するため、本考案は、側端に第１の接続部が設けられた第１の本体と、一端が前記第１の本体に枢着した枢着部材と、前記枢着部材の他端に枢着し、前記第１の本体に電気的に接続された第２の本体と、前記第２の本体に電気的に結合され撮像ユニットとを、含む撮像装置を提供する。
【０００８】
前記構造において、前記第１の本体の第１の接続部を所定の電子装置に差込むことにより、前記第１の本体を固定させ、且つ、前記枢着部材を介して、前記第２の本体を前記第１の本体に対して回転させることで、撮像ユニットの視角を調整することができる。
【０００９】
本考案の特徴及び技術内容をより理解させるため、以下に本考案に関わる詳しい説明及び添付図面を参照するが、それらの添付図面が参考及び説明のみに使われ、本考案の主張範囲を狭義的に局限するものではないことは言うまでもないことである。
【考案を実施するための最良の形態】
【００１０】
先ず、図１、図２及び図３に示すように、本考案の撮像装置は電子装置７に電気的に接続するために用いられるもので、この撮像装置は、側端に第１の接続部１１が設けられた第１の本体１を有し、この第１の接続部１１はUSB対応またはIEEE1394対応の電気コネクタである。
【００１１】
枢着部材２は、ユニバーサルジョイントで、且つ、該枢着部材２の一端が前記第１の本体１に枢着される。
【００１２】
第２の本体３は、枢着部材２の他端に枢着し、前記第１の本体１に電気的に接続される。
【００１３】
撮像ユニット４は、該第２の本体３内に設置され、該第２の本体３に電気的に接続され、第２の本体３の片側の表面にカメラレンズ４１が露出されている。
【００１４】
前記構造を実施する場合、本実施例では、図１、図３及び図４に示すように、電子装置７は、ノートパソコンで良く、第１の接続部１１を該ノートパソコンの側縁に予め設置されたUSB対応またはIEEE1394対応の第１の挿入槽７１に直接かつ電気的に差込むとともに、第１の本体１を固定させる。撮像する際には、使用者が第２の本体３を直接調節し、枢着部材２の回動により、第２の本体３を第１の本体１に対して回動させ、撮像ユニット４の視角を調整して撮像目標に合わせる。使用が終了した後には、使用者が第１の接続部１１を第１の挿入槽７１から抜き取って、身に着けた服のポケット内に収納でき、携帯に非常に便利である。
【００１５】
本考案の第２実施例は、図５に示すように、前記構造において、電子装置７がPDA装置である。
【００１６】
本考案の第３実施例は、図６に示すように、前記構造において、電子装置７が携帯電話である。
【００１７】
本考案の第４実施例は、前記構造において、電子装置７が卓上型パソコンまたはゲーム機（図示せず）である。
【００１８】
本考案の第５実施例では、前記構造において、第１の接続部１１が接続装置８に電気的に差込まれる。図７に示すように、接続装置８は液晶ディスプレイであり、接続装置８の側端の所定位置に予め設置された第２の挿入槽８１に、第１の接続部１１が差込まれ、データ信号を接続装置８を介して有線またはワイヤレス（例えば、bluetooth、赤外線およびワイヤレスLAN伝送）方式で出力し、少なくとも一つの電子装置に受信させる。
【００１９】
本考案の第６実施例は、図８に示すように、前記構造において、接続装置８が収容台座であり、該収容台座はマウス、マウス充電器、または携帯電話充電器である。
【００２０】
本考案の第７実施例は、図９に示すように、前記構造において、接続装置８が固定チャックであり、該接続装置８は卓上、ディスプレイまたは他の挟持可能な物体に挟持できる。
【００２１】
本考案の第８実施例は、図１０に示すように、前記構造において、さらに、第１の本体１または第２の本体３内に設置され、撮像ユニット４が撮った画像データおよび他のタイプのデータを格納するための記録ユニット５を備えている。
【００２２】
本考案の第９実施例は、図１１に示すように、前記構造において、さらに、第１の本体１または第２の本体３内に設置され、無線信号を送受信するための無線信号ユニット６を備えている。
【００２３】
本考案の第１０実施例は、図１２に示すように、前記構造において、第２の本体３の少なくとも片側に、少なくともUSB対応またはIEEE1394対応の第２の接続部３１が設けられ、該第２の接続部３１として第２の本体３に電気コネクタを凸設し、且つ、撮像ユニット４の片側の表面に第３の接続部４２が設けられ、第３の接続部４２として該撮像ユニット４に、第２の接続部３１と互いに対応して差込むための挿入槽が凹設されている。
【００２４】
本考案の第１１実施例は、図１３に示すように、前記構造において、第２の接続部３１として第２の本体３に挿入槽を凹設し、第３の接続部４２として撮像ユニット４には、第２の接続部３１と互いに対応して差込むための電気コネクタを凸設している。
【００２５】
前記実施例から分かるように、本考案は以下の利点を備えている。
１、本考案は、伝送ケーブルを介さなくても電子装置７に直接的に差込むことができ、且つ、撮像しようとする人物の位置に応じて、枢着部材２を回動させることで視角を調整でき、従来の配設した伝送ケーブルが干渉し易く、或いは絡まる問題を改善でき、使用者の迷惑を低下させ、便利性を向上できる。
２、本考案は、支持部材および伝送ケーブルを配備する必要がないため、体積が小さく、携帯し易く、且つ、身に付けて携帯し易く、常に使用者の周辺の様々な互換仕様の電子装置７に合せて差込むことで即時使用でき、使用者にリアルタイムにメディア機能を供給し、便利性の向上及び市場価値の増進を達成できる。
３、本考案は電子装置７に差込まれ、その画像撮りの高さ及び角度の調整が、枢着部材２を直接的に回転することで達成でき、十分に便利である。
４、本考案は接続装置８に差込まれ、該接続装置８を介して信号データを出力できる。
５、本考案は、さらに、データを格納するための記録ユニット５を増設してもよい。
６、本考案は、さらに、無線信号を受送信するための無線信号ユニット６を増設してもよい。
【００２６】
以上は単に本考案の好ましい具体的な実施例に過ぎず、本考案の実用新案登録請求の範囲を局限するものではなく、いずれの当該分野における通常の知識を有する専門家が本考案の分野の中で、適当に変更や修飾などを実施できるが、それらの実施が本考案の主張範囲内に納入されるべきことは言うまでもないことである。
【図面の簡単な説明】
【００２７】
【図１】本考案の撮像装置の外観斜視図である。
【図２】本考案の撮像装置の第２の接続部を直立調整した外観斜視図である。
【図３】本考案の撮像装置の実施例で差込みを示す斜視図である。
【図４】本考案の撮像装置の実施例で角度調整を示す斜視図である。
【図５】本考案の撮像装置の第２実施例を示す斜視図である。
【図６】本考案の撮像装置の第３実施例を示す斜視図である。
【図７】本考案の撮像装置の第５実施例を示す斜視図である。
【図８】本考案の撮像装置の第６実施例を示す斜視図である。
【図９】本考案の撮像装置の第７実施例を示す斜視図である。
【図１０】本考案の撮像装置の第８実施例を示す外観斜視図である。
【図１１】本考案の撮像装置の第９実施例を示す外観斜視図である。
【図１２】本考案の撮像装置の第１０実施例を示す分解斜視図である。
【図１３】本考案の撮像装置の第１１実施例を示す分解斜視図である。
【符号の説明】
【００２８】
１  第１の本体
１１  第１の接続部
２  枢着部材
３  第２の本体
３１  第２の接続部
４  撮像ユニット
４１  カメラレンズ
４２  第３の接続部
５  記録ユニット
６  無線信号ユニット
７  電子装置
７１  第１の挿入槽
８  接続装置
８１  第２の挿入槽
【図１】
0003131790.tif 000003
【図２】
0003131790.tif 000004
【図３】
0003131790.tif 000005
【図４】
0003131790.tif 000006
【図５】
0003131790.tif 000007
【図６】
0003131790.tif 000008
【図７】
0003131790.tif 000009
【図８】
0003131790.tif 000010
【図９】
0003131790.tif 000011
【図１０】
0003131790.tif 000012
【図１１】
0003131790.tif 000013
【図１２】
0003131790.tif 000014
【図１３】
0003131790.tif 000015